(57)【特許請求の範囲】
【請求項１】
原稿の向きを判別する原稿向き判別手段と、原稿を読取る読取手段と、前記読取手段で読取った原稿の画像を指定の宛先に転送する転送手段と、前記原稿向き判別手段で判別された原稿の向きと原稿の画像の向きとを表す原稿画像及び前記宛先における原稿の向きと原稿の画像の向きとを表す転送画像を表示する表示手段とを具備し、前記読取手段で原稿を読み取る際に、当該原稿向き判別手段で判別された読み取る原稿の向きに応じた原稿の画像の向きを表す原稿画像と読み取る原稿の向きに応じた前記宛先における原稿の向きと原稿の画像の向きとを表す転送画像とを、前記表示手段により同一画面上に並列に表示させる制御手段を有することを特徴とする複合機。
【請求項２】
前記表示手段が、宛先を指定するための第１画面と、前記原稿向き判別手段で判別された原稿の向きと原稿の画像の向きとを表す原稿画像及び前記宛先における原稿の向きと原稿の画像の向きとを表す転送画像を表示する第２画面とを有し、前記第１画面で宛先が指定された場合には、前記表示手段により前記第２画面に切り替えることを特徴とする請求項１に記載の複合機。
【請求項３】
前記転送手段により前記原稿の画像の転送を開始すると、前記表示手段により自動的に前記原稿向き判別手段で判別された原稿の向きに応じた原稿の画像の向きを表す原稿画像及び読み取る原稿の向きに応じた前記宛先における原稿の向きと原稿の画像の向きとを表す転送画像を表示しかつ転送状況を前記各画像の表示濃度を変化させて表示させることを特徴とする請求項１乃至請求項２のいずれかに記載の複合機。
【請求項４】
前記転送手段が前記原稿の画像の転送を終了すると、前記表示手段により自動的に前記第１画面を表示させることを特徴とする請求項２に記載の複合機。
【請求項５】
前記表示手段が、前記第１画面と前記第２画面とのいずれを選択されても常に表示する第３画面を有し、前記第３画面が、読み取り時に設定する項目を表示するものであることを特徴とする請求項２に記載の複合機。
【請求項６】
原稿の向きを判別する原稿向き判別工程と、原稿を読み取る読取工程と、前記読取工程で読み取った原稿の画像を指定の宛先に転送する転送工程と、前記原稿向き判別工程で判別された原稿の向きと原稿の画像の向きとを表す原稿画像及び前記宛先における原稿の向きと原稿の画像の向きとを表す転送画像を表示する表示工程とを具備し、前記読取工程で原稿を読み取る際に、当該原稿向き判別工程で判別された読み取る原稿の向きに応じた原稿の画像の向きを表す原稿画像と当該読み取る原稿の向きに応じた前記宛先における原稿の向きと原稿の画像の向きとを表す転送画像とを、前記表示工程により同一画面上に並列に表示させる制御工程を有することを特徴とする複合機の表示装置用制御方法。
【発明の詳細な説明】
【０００１】
【発明の属する技術分野】
本発明は、スキャナ機能を備えた複合機及びその表示装置用制御方法に関するものである。
【０００２】
【従来の技術】
近年、複写機にプリンタ機能やファクシミリ機能を加えた複合機が一般化している。さらに、上記プリンタ機能やファクシミリ機能の他にスキャナ機能を追加したものも登場している。
【０００３】
【発明が解決しようとする課題】
しかし、かかる従来の技術では、以下のような問題が生じていた。すなわち、ファクシミリの場合、送信原稿の向きと記録用紙の向きとが異なる場合、送信原稿の向きと記録用紙の向きとを一致させる回転処理が行われる。これは、送信原稿上の画像の向きとは無関係に、送信原稿の向きと記録用紙の向きとが一致しているか否かのみで判断している。これに対して、スキャナの場合、原稿の向きとパソコン画面の向きとの一致は重要でなく、むしろ原稿上の画像の向きとパソコン画面上の画像の向きとが一致するか否かが問題となる。そのため、スキャナで読取られる画像がどのような方向でパソコン画面上に表示されるかが分らないと、誤った向きで画像をパソコンに取込むおそれがあった。そして、ユーザは、何回か失敗を繰返さなければ正しい向きで画像を取込むことができず、その作業は極めて煩雑であるという問題があった。
【０００４】
また、ファクシミリにあっては、宛先をワンタッチキーなどに予め登録しておき、その登録された宛先へ送信する場合の他、テンキーにより宛先の番号を１つ１つ入力する場合もある。これに対して、スキャナの場合、パソコンのアドレスを指定して転送するので、テンキーを用いて入力するよりは、予め登録しておく方が便利である。しかし、登録数にも限界があるという問題があった。
【０００５】
本発明は、上記課題に鑑みてなされたもので、スキャナで画像を読み取る際に、ユーザの誤認識を防止して適切な向きで画像を取込むことができ、また、宛先の登録数を可能な限り増加させることができる複合機及びその表示装置用制御方法を提供することを目的とする。
【０００６】
【課題を解決するための手段】
上記課題を解決するために、本発明に於いては、原稿の向きを判別する原稿向き判別手段と、原稿を読み取る読取手段と、前記読取手段で読み取った原稿の画像を指定の宛先に転送する転送手段と、前記原稿向き判別手段で判別された原稿の向きと原稿の画像の向きとを表す原稿画像及び前記宛先における原稿の向きと原稿の画像の向きとを表す転送画像を表示する表示手段とを具備し、前記読取手段で原稿を読み取る際に、当該原稿向き判別手段で判別された読み取る原稿の向きに応じた原稿の画像の向きを表す原稿画像と読み取る原稿の向きに応じた前記宛先における原稿の向きと原稿の画像の向きとを表す転送画像とを、前記表示手段により同一画面上に並列に表示させる制御手段を有するものとした。
【０００７】
これによれば、原稿向き判別手段で判別された読み取る原稿の向きに応じた原稿の画像の向き、及び読み取る原稿の向きに応じた宛先における原稿の向きと原稿の画像の向きとが画像表示されることから、宛先に転送する前に読み取った画像がどの向きで宛先において表示されるかを予め容易に確認できるため、原稿の向きを間違えて転送してしまうということを防止できる。これにより、転送した後に、その転送原稿が適切な向きでないことが分かり、再度転送し直さなければならいという煩わしさを未然に防ぐことができる。
【０００８】
また、これによれば、原稿向き判別手段で判別された読み取る原稿の向きに応じた原稿の画像の向きを表す原稿画像と読み取る原稿の向きに応じた前記宛先における原稿の向きと原稿の画像の向きとを表す転送画像とが同一画面上に並列表示されるため、読み取った原稿の向きと宛先に転送される画像の向きとを対比して一度に確認できるので、原稿の向きの確認を容易に行うことができる。従って、転送画像の向きが異なっている場合には、セットされた原稿をどう直せばよいのか瞬時に判断でき、複合機をスキャナとして用いる場合の読込み作業に間違いが生じることを容易に防止できる。
【０００９】
また、前記表示手段が、宛先を指定するための第１画面と、前記原稿向き判別手段で判別された原稿の向きと原稿の画像の向きとを表す原稿画像及び前記宛先における原稿の向きと原稿の画像の向きとを表す転送画像を表示する第２画面とを有し、前記第１画面で宛先が指定された場合には、前記表示手段により前記第２画面に切り替えると良い。これによれば、宛先を指定する第１画面と画像の向きを表示する第２画面とを相互に切り替えて一方を表示することから、切り替えて使用する一方の画面の全面を宛先指定に使うことができるので、登録できる宛先数を大幅に増やすことができ、宛先指定の作業性が向上するため、多数のパソコンが接続されるネットワーク上に用いられる複合機を十分に機能させることができる。また、第１画面で宛先を指示すると、自動的に第２画面に切り替わって、読取手段で読み取る原稿上の画像の向きに応じて宛先で表示される画像の向きと原稿の画像の向きとを表示させることにより、宛先指定後直ちに宛先で表示される画像の向きを確認できるので、宛先を指定したままで画像の向きを確認しないで転送するという誤動作を確実に防止できる。
【００１０】
また、前記転送手段により前記原稿の画像の転送を開始すると、前記表示手段により自動的に前記原稿向き判別手段で判別された原稿の向きに応じた原稿の画像の向きを表す原稿画像及び読み取る原稿の向きに応じた前記宛先における原稿の向きと原稿の画像の向きとを表す転送画像を表示しかつ転送状況を前記各画像の表示濃度を変化させて表示させると良い。これによれば、画像の向きを表示させる画面を利用して画像の転送状況を表示することから、同一画面上で画像の向きの確認と画像の転送状況の確認との双方を行うことができるので、限られた表示スペースを有効に利用することができる。また、同一画面上で画像の向きを確認しながら画像の転送状況を確認できるので、向きを確認した画像がどのような状態で転送されているか容易に判断でき、オペレータ（ユーザ）に安心感を与えることができる。
【００１１】
また、前記転送手段が前記原稿の画像の転送を終了すると、前記表示手段により自動的に前記第１画面を表示させると良い。これによれば、画像の転送が終了すると、自動的に第１画面に戻り、転送終了後に第２画面のままで放置するのではないので、画面自体の変化で転送終了をオペレータに伝えることができ、オペレータはスキャンした画像が転送中なのか転送が終了したのかを確実に認識することができる。また、転送終了したタイミングで画面が変化するので、いつ転送が終了したかを確実にオペレータに知らせることができる。また、転送終了後に手動で第１画面に戻す必要がないので、直ちに次の宛先の指定を行うことができる。
【００１２】
また、前記表示手段が、前記第１画面と前記第２画面とのいずれを選択されても常に表示する第３画面を有し、前記第３画面が、読み取り時に設定する項目を表示するものであると良い。これによれば、表示手段上に第１画面又は第２画面のいずれが表示されている場合であっても、常に読み取り時に設定する解像度や濃度などの項目（モード）の設定状況が表示されているので、いずれの画面においても必要となる情報については、確認のためにいちいち画面を切り替える手間を省くことができる。
【００１４】
また、原稿の向きを判別する原稿向き判別工程と、原稿を読み取る読取工程と、前記読取工程で読み取った原稿の画像を指定の宛先に転送する転送工程と、前記原稿向き判別工程で判別された原稿の向きと原稿の画像の向きとを表す原稿画像及び前記宛先における原稿の向きと原稿の画像の向きとを表す転送画像を表示する表示工程とを具備し、前記読取工程で原稿を読み取る際に、当該原稿向き判別工程で判別された読み取る原稿の向きに応じた原稿の画像の向きを表す原稿画像と当該読み取る原稿の向きに応じた前記宛先における原稿の向きと原稿の画像の向きとを表す転送画像とを、前記表示工程により同一画面上に並列に表示させる制御工程を有するものとした。
【００１５】
これによれば、原稿向き判別手段で判別された読み取る原稿の向きに応じた原稿の画像の向きを表す原稿画像と、読み取る原稿の向きに応じた前記宛先における原稿の向きと原稿の画像の向きとを表す転送画像とが同一画面上に並列表示されるため、読み取った原稿の向きと宛先に転送される画像の向きとを対比して一度に確認できるので、原稿の向きの確認を容易に行うことができる。従って、転送画像の向きが異なっている場合には、セットされた原稿をどう直せばよいのか瞬時に判断でき、複合機をスキャナとして用いる場合の読込み作業に間違いが生じることを容易に防止できる。
【００２１】
【発明の実施の形態】
以下に添付の図面に示された具体例に基づいて本発明の実施の形態について詳細に説明する。
【００２２】
図１は、本発明が適用された複合機１と複数のパーソナルコンピュータＰＣとをＬＡＮ接続した状態を示す模式図である。このようにして、１台の複合機１と複数のパーソナルコンピュータＰＣとの間で信号の授受を行うことができるようになっている。本複合機１は、複写機能・プリンタ機能・ファクシミリ機能・スキャナ機能を有するものである。必ずしもそれら全ての機能を有する必要はないが、本実施の形態ではスキャナ機能を有するものとして以下に示す。
【００２３】
まず、図２に複合機１の機能をブロック図として示す。本複合機１には、図２に示されるように、転送手段・制御手段であると共に全体を制御する中央処理装置２と、原稿の読み取りを行う読取手段としての原稿読取制御部３と、記録紙に対して画像形成を行う画像形成部４と、表示手段及び表示装置であると共にオペレータとの入出力部としての操作パネル５とが設けられている。
【００２４】
中央処理装置２にはＣＰＵ２ａ・ＲＯＭ２ｂ・ＲＡＭ２ｃが設けられており、それらはシステムバスＢＵＳ１を介して互いに信号の授受を行っている。なお、ＲＯＭ２ｂにＣＰＵ２ａの動作プログラムが格納され、ＲＡＭ２ｂにはＣＰＵ２のワークエリア等が確保される。
【００２５】
なお、原稿読取制御部３には、原稿を自動的に送る自動原稿送り部３ａと、原稿読取部３ｂとが設けられている。また、画像形成部４にもＣＰＵ４ａ・ＲＯＭ４ｂ・ＲＡＭ４ｃが設けられており、それらはシステムバスＢＵＳ２を介して互いに信号の授受を行うと共に、用紙カセットから取り出された用紙を搬送する用紙搬送制御部４ｄと、画像を形成する画像形成制御部４ｅと、トナーの定着を制御する定着制御部４ｆとが設けられている。
【００２６】
また、中央処理装置２にあっては、上記システムバスＢＵＳ１に、原稿読取部インターフェース（Ｉ／Ｆ）２ｄと、画像加工部２ｅと、コーデック２ｆと、画像形成部インターフェース（Ｉ／Ｆ）２ｇとが接続されている。原稿読取インターフェース（Ｉ／Ｆ）２ｄは、原稿読取制御部３とシステムバスＢＵＳ１とを接続し、読み込んだ画像データを編集するものである。画像加工部２ｅは、画像データを拡大／縮小し、または任意の角度に回転させる画像処理回路である。コーデック２ｆは、画像データにエンコード／デコード処理を施すものである。画像形成インターフェース（Ｉ／Ｆ）２ｇは、記録画像の画像データを中央処理装置１と画像形成部４との間での授受を行うものである。
【００２７】
これら原稿読取インターフェース（Ｉ／Ｆ）２ｄ・画像加工部２ｅ・コーデック２ｆ・画像形成インターフェース（Ｉ／Ｆ）２ｇは、ローカルバスＢＵＳ３を介して画像メモリ２ｈ及び画像蓄積メモリ２ｉと接続されている。画像メモリ２ｈには、コーデック２ｆでエンコード処理された画像データが格納される。さらに、システムバスＢＵＳ１には、印刷データ取込インターフェース（Ｉ／Ｆ）２ｊが接続されている。この印刷データ取込インターフェース（Ｉ／Ｆ）２ｊは、ＬＡＮを介して各パーソナルコンピュータＰＣとの間で印刷データの授受を行うためのものである。
【００２８】
次に、本複合機１によるスキャナ処理について以下に示す。このスキャナ処理は、複合機１に原稿をセットし、読み込んだ画像を指定した宛先のパーソナルコンピュータＰＣに送信するものである。図３のフローチャートに示されるように、先ずステップＳＴ１で画像の送信先を選択させるための宛先処理を行う。この宛先処理を図４のフローチャートを参照して示す。この状態では、上記操作パネル５の一部をなすタッチパネル６に、図５に示されるような第１画面としての宛先画面が表示されている。
【００２９】
図４のステップＳＴ１１ではモードキー１１が押し下げられたか否かを判別する。このモードキー１１は、宛先処理モードと原稿表示処理モードとを切り替えるためのものである。ステップＳＴ１１でモードキー１１が押し下げられた場合には、宛先処理モードを行わないことが選択された場合なので、本フローを終了する。ステップＳＴ１１でモードキー１１が押し下げられていない場合にはステップＳＴ１２に進む。
【００３０】
ステップＳＴ１２では、原稿がセットされているか否かを判別する。この判別は、コピー機などで用いられている位置センサで行うものであって良い。ステップＳＴ１２で原稿がセットされていないと判別された場合にはステップＳＴ１３に進み、そこで、「原稿をセットしてください」の表示を行い、ステップＳＴ１４に進む。また、上記ステップＳＴ１２で原稿がセットされていると判別された場合にはステップＳＴ１５に進み、そこで、「宛先を指定してください」の表示を行い、ステップＳＴ１４に進む。
【００３１】
ステップＳＴ１４では宛先の入力が有るか否かを判別する。なお、宛先の入力処理にあっては、例えば、図５に示される第１画面としての宛先画面で、例えばアルファベット別に分けられたタグ１２の該当するものを押圧し、そのタグ１２に該当する複数の宛先指定キー１３が表示された画面の中から指定する宛先指定キー１３に該当するものを押圧して指定することができる。
【００３２】
図５に示される宛先画面では、第２画面としての原稿向き表示画面を切り替えて表示するようにしている。これにより、タッチパネル６のほぼ全面を使ってできるだけ多くの宛先を表示することができる。図示例では４×３列からなる１２種類の宛先を一度に表示している。このように、一度に表示される宛先の数が多いことにより、宛先指定の作業が容易であり、特に多数のパーソナルコンピュータＰＣが接続されるネットワーク上に用いられる複合機１において、スキャナで読み込んだ画像を転送する宛先を選択する場合に有効である。
【００３３】
ステップＳＴ１４で宛先の入力が無い（未だいずれかの宛先のものが選択されていない）と判別されている間はステップＳＴ１１に戻り、ステップＳＴ１１〜ＳＴ１４を繰り返す。宛先の入力があると判別された場合にはステップＳＴ１６に進み、そこで、選択された宛先表示を行う。この宛先表示は、例えば情報表示エリア１４に表示するものであって良い。
【００３４】
次のステップＳＴ１７では、一定時間が経過したか否かを判別し、一定時間が経過したら本宛先処理モードを終了する。これは、ユーザが選択した宛先を視認することができるようにするための時間である。
【００３５】
このようにして宛先処理が終了したら、図３のステップＳＴ２に進み、そこでは原稿表示処理モードを実行する。この原稿表示処理を図６のフローチャートを参照して以下に示す。先ず、図６のステップＳＴ２１では原稿がセットされているか否かを判別する。原稿がセットされていると判別された場合にはステップＳＴ２２に進み、ステップＳＴ２２では原稿の向きがポートレート方向か否かを判別し、ポートレート方向の場合にはステップＳＴ２３に進む。ステップＳＴ２３では、タッチパネル６が図７（ａ）に示される第２画面としての原稿向き表示画面となり、その所定の場所にポートレート方向を示す原稿画像１５ａの表示を行い、併せて同一画面上に並列にポートレート方向を示す転送画像１７ａの表示を行い、本原稿方向表示処理を終了する。
【００３６】
上記ステップＳＴ２２でポートレート方向ではないと判別された場合にはランドスケープ方向の原稿であることから、ステップＳＴ２４に進み、そこで、図７（ｂ）に示されるようにタッチパネルの６の所定の場所にランドスケープ方向を示す原稿画像１５ｂ及び転送画像１７ｂの表示を行い、本原稿方向表示処理を終了する。なお、ステップＳＴ２１で原稿がセットされていないと判別された場合にはステップＳＴ２５に進み、そこで、図８に示されるように原稿無しをグレー表示で示す原稿無し画像１５ｃの表示を行い、本原稿表示処理を終了する。
【００３７】
このように原稿の方向に合わせて表示することから、原稿の向きを間違えてスキャナ処理した画像を送信してしまい、その送信結果を見て初めて間違いに気づくと言うことを送信前に防止することができる。特に、転送画像の向きが異なっている場合には、セットされた原稿をどう直せばよいのか瞬時に判断でき、複合機をスキャナとして用いる場合の読込み作業に間違いが生じることを容易に防止できる。また、図５で示される第１画面で宛先を指示すると、オペレータが操作することなく、自動的に図７で示される第２画面に切り替わって、原稿読取部３ｂで読み取る原稿上の画像の向きに応じて宛先で表示される画像の向きを表示させることにより、宛先指定後直ちに宛先で表示される画像の向きを確認できるので、宛先を指定したままで画像の向きを確認しないで転送するという誤動作を確実に防止できる。
【００３８】
上記原稿表示処理を終了したら、図３におけるステップＳＴ３に進む。ステップＳＴ３では、例えば操作パネル５のタッチパネル６とは別の所に配設されたスタートキー（図３（ａ）のＳＫ）を押し下げたか否かを判別する。スタートキーＳＫが押し下げられていないと判別された場合にはステップＳＴ４に進み、スタートキーＳＫが押し下げられたと判別された場合にはステップＳＴ５に進む。
【００３９】
ステップＳＴ４ではモードキー１１が押し下げられたか否かを判別する。これは、モードの設定を変更したい場合を考慮したものである。このステップＳＴ４における画面は図７に示されるものになっていることから、モードキー１１が押し下げられたと判別された場合にはステップＳＴ１に戻って宛先処理モードに移り、モードキー１１が押し下げられていないと判別された場合にはステップＳＴ２に戻り、ステップＳＴ２〜ＳＴ３を繰り返す。
【００４０】
ステップＳＴ５では、転送及び転送状況表示の処理を行う。上記ステップＳＴ３でスタートキーＳＫを操作することによりスキャナ処理を開始し、その処理の進行状況を図９に示されるように表示する。図９（ａ）は、図７（ａ）から１／３程度スキャンされた状態であり、同様に、図９（ｂ）は２／３程度、図９（ｃ）は全てがスキャンされた状態を示すものである。
【００４１】
図示例では、スキャンの進行状態に合わせて読取ヘッド画像１６が原稿画像１５ａ上を移動していく状態を示すようにしていると共に、読み取られた部分を、原稿画像１５ａの対応する部分を薄くしていくことで示している。また、パーソナルコンピュータＰＣへの転送状態を、隣に表示されているパーソナルコンピュータ画像の画面に表示しているポートレート方向の転送原稿画像１７ａを用いて、転送された量を転送画像１７ａの濃い部分を増やしていくことにより示している。なお、ランドスケープ方向の場合には横長の転送画像が表示される。
【００４２】
このように、読み取った状態及び転送された状態がアニメーションで示されることから、原稿の向きを確認した画像がどのような状態で転送されているか容易に判断でき、オペレータに安心感を与えることができる。特に、複合機１とパーソナルコンピュータＰＣとが互いに離れて設置されているような場合に有効である。
【００４３】
そして、ステップＳＴ６では転送が終了したか否かを判別し、転送が終了していない場合にはステップＳＴ５に戻り、転送及び転送状況表示の処理を続行する。ステップＳＴ６で転送が終了したと判別されたらステップＳＴ１に戻る。したがって、転送終了後には図９（ｃ）の転送画面（原稿向き表示画面）から図５の宛先画面に切り替わるため、画面自体の変化で転送終了をオペレータに伝えることができ、オペレータはスキャンした画像が転送中なのか転送が終了したのかを確実に認識することができる。また、転送終了したタイミングで画面が変化するので、いつ転送が終了したかを確実にオペレータに知らせることができる。また、転送終了後に手動で宛先画面に戻す必要がないので、直ちに次の宛先の指定を行うことができる。
【００４４】
なお、タッチパネル６の画面には、図７（ａ）を代表として示すように、図における右上部分に第３画面としてのモードの設定内容を表示する設定内容表示部１８が設けられている。この設定内容表示部１８は、その図における下方に設けられたモード設定部１９にて設定した各設定項目が常時表示されるようになっている。設定項目としては例えば解像度・文字／写真・濃度であって良く、モード設定部１９にはそれらを設定し得る各スイッチ部が表示されている。この設定内容表示部１８の内容は、モード設定部１９を有しない図５の宛先指定画面においても確認できる。
【００４５】
これにより、いずれの画面においても必要となる情報（モード設定項目）が設定内容表示部１８により表示されていることから、確認のためにいちいち画面を切り替える手間を省くことができる。そして、宛先指定のために図５に示される宛先画面を開いている場合でも、設定内容表示部１８によりモードの設定状況を確認できるので、いちいち図７に示される原稿向き表示画面に切り替える必要が無く、表示されているモードの設定で宛先に転送してよい場合には、宛先画面においてそのまま宛先を指定すれば良く、その際、原稿向き表示画面に切り替えてモードを確認する手間を省くことができる。
【００４６】
【発明の効果】
このように本発明によれば、原稿向き判別手段で判別された原稿の向きに応じた原稿の画像の向きを表す原稿画像及び読み取る原稿の向きに応じた宛先における原稿の向きと原稿の画像の向きとを表す転送画像が表示されることから、宛先に転送する前に読み取った画像がどの向きで宛先において表示されるかを予め容易に確認できるため、原稿の向きを間違えて転送してしまうということを防止できる。これにより、転送した後に、その転送原稿が適切な向きでないことが分かり、再度転送し直さなければならいという煩わしさを未然に防ぐことができる。
【００４７】
また、原稿向き判別手段で判別された読み取る原稿の向きに応じた原稿の画像の向きを表す原稿画像及び読み取る原稿の向きに応じた前記宛先における原稿の向きと原稿の画像の向きとを表す転送画像を同一画面上に並列に表示することにより、判別された原稿の向きと宛先に転送される画像の向きとを対比して一度に確認できるので、原稿の向きの確認を容易に行うことができる。従って、転送画像の向きが異なっている場合には、セットされた原稿をどう直せばよいのか瞬時に判断でき、複合機をスキャナとして用いる場合の読込み作業に間違いが生じることを容易に防止できる。
【００４８】
また、宛先を指定するための第１画面と、原稿向き判別手段で判別された読み取る原稿の向きに応じた原稿の画像の向きを表す原稿画像及び読み取る原稿の向きに応じた前記宛先における原稿の向きと原稿の画像の向きとを表す転送画像を表示する第２画面とを有し、第１画面で宛先が指定された場合には、前記表示手段により第２画面に切り替えることにより、宛先を指定する第１画面と画像の向きを表示する第２画面とを相互に切替えて一方を表示することから、切り替えて使用する一方の画面の全面を宛先指定に使うことができるので、登録できる宛先数を大幅に増やすことができ、宛先指定の作業性が向上するため、多数のパソコンが接続されるネットワーク上に用いられる複合機を十分に機能させることができる。
【００４９】
また、原稿の画像の転送を開始すると自動的に、原稿向き判別手段で判別された読み取る原稿の向きに応じた原稿の画像の向きを表す原稿画像及び読み取る原稿の向きに応じた宛先における原稿の向きと原稿の画像の向きとを表す転送画像を表示しかつ転送状況を各画像の表示濃度を変化させて表示させることにより、画像の向きを表示させる画面を利用して画像の転送状況を表示することから、同一画面上で画像の向きの確認と画像の転送状況の確認との双方を行うことができるので、限られた表示スペースを有効に利用することができる。また、同一画面上で画像の向きを確認しながら画像の転送状況を確認できるので、向きを確認した画像がどのような状態で転送されているか容易に判断でき、オペレータに安心感を与えることができる。
【００５０】
また、原稿の画像の転送を終了すると自動的に第１画面を表示させることにより、転送終了後に第２画面のままで放置するのではないので、画面自体の変化で転送終了をオペレータに伝えることができ、オペレータはスキャンした画像が転送中なのか転送が終了したのかを確実に認識することができる。また、転送終了したタイミングで画面が変化するので、いつ転送が終了したかを確実にオペレータに知らせることができる。また、転送終了後に手動で第１画面に戻す必要がないので、直ちに次の宛先の指定を行うことができる。
【００５１】
また、第１画面と第２画面とのいずれを選択されても常に表示する第３画面を有し、第３画面が、読み取り時に設定する項目を表示するものであることにより、表示手段上に第１画面又は第２画面のいずれが表示されている場合であっても、常に読み取り時に設定する解像度や濃度などの項目（モード）の設定状況が表示されているので、いずれの画面においても必要となる情報については、確認のためにいちいち画面を切り替える手間を省くことができる。
【図面の簡単な説明】
【図１】本発明が適用された複合機と複数のパーソナルコンピュータとをＬＡＮ接続した状態を示す模式図。
【図２】本複合機の制御ブロック図。
【図３】本発明に基づく制御フローを示す図。
【図４】宛先処理を示すフロー図。
【図５】宛先画面を示す図。
【図６】原稿表示処理を示すフロー図。
【図７】（ａ）は、ポートレート方向の原稿を読み取る場合の表示であり、（ｂ）は、ランドスケープ方向の原稿を読み取る場合の表示である。
【図８】原稿が無い状態を示す図７（ａ）に対応する図。
【図９】（ａ）は１／３程度スキャンされた状態を示し、（ｂ）は２／３程度スキャンされた状態を示し、（ｃ）は全てがスキャンされた状態を示す図。
【符号の説明】
１  複合機
２  中央処理装置
３  原稿読取制御部
４  画像形成部
５  操作パネル
６  タッチパネル
１１  モードキー
１２  タグ
１３  宛先指定キー
１４  情報表示エリア
１５ａ・１５ｂ  原稿画像
１７ａ・１７ｂ  転送画像
１８  設定内容表示部
１９  モード設定部
【図１】
0003955772.tif 000002
【図２】
0003955772.tif 000003
【図３】
0003955772.tif 000004
【図４】
0003955772.tif 000005
【図５】
0003955772.tif 000006
【図６】
0003955772.tif 000007
【図７】
0003955772.tif 000008
【図８】
0003955772.tif 000009
【図９】
0003955772.tif 000010